(57)【特許請求の範囲】
【請求項１】
編組織が非弾性糸と弾性糸とを同行させた１×１編み組織であって、かつ各編
針において非弾性糸と弾性糸のうちの少なくとも１方が閉じ目により編成された
伸縮性たて編地を含み、前記の伸縮性たて編地の縁の一部又は全部が裁断された
状態のままで、すなわちへミングレスのままで形成されていることを特徴とする
伸縮性衣類。
【請求項２】
さらに、請求項１記載の伸縮性たて編地に１８０℃を下らない温度においてプ
レセットまたは／およびヒートセットが施されていることを特徴とする請求項１
記載の伸縮性衣類。
【請求項３】
さらに、請求項１又は２記載の伸縮性たて編地が１インチ当たり６５ウエール
を超える密度に編成されていることを特徴とする請求項１または２記載の伸縮性
衣類。
【請求項４】
さらに、請求項１、２または３記載の前記の伸縮性たて編地が非弾性糸のラン
ナーを弾性糸のランナーよりも大きく、非弾性糸のランナーを８５〜１２０ｃｍ
／ラック、弾性糸のランナーを７０〜１１０ｃｍ／ラックにして編成されている
ことを特徴とする請求項１、２または３記載の伸縮性衣類。
【請求項５】
さらに、請求項１〜４のいずれかに記載の伸縮性たて編地が、部分的に他の部
分よりも繊度の大きな弾性糸を編糸に用い、または繊度が大きいか複数本の弾性
糸を挿入した、締付パワーの強化部分を含んで編成されていることを特徴とする
請求項１〜４のいずれかに記載の伸縮性衣類。
【請求項６】
へミングレスのままの縁のラインが、波形であることを特徴とする請求項１〜
５のいずれかに記載の伸縮性衣類。
【請求項７】
請求項１〜５のいずれかに記載の伸縮性たて編地が、衣類の少なくとも上端お
よび下端の縁を構成し、該縁がへミングレスのままに形成されていることを特徴
とする請求項１〜６のいずれかに記載の伸縮性衣類。
【請求項８】
請求項１〜５のいずれかに記載の伸縮性たて編地を、上端および下端の縁を構
成する上下方向に継ぎ目のない同じ１枚の見頃として含み、形成されていること
を特徴とする請求項７記載の伸縮性衣類。
【請求項９】
上端および下端の縁を構成するラインが、相互に非平行であることを特徴とす
る請求項７または８記載の伸縮性衣類。
【請求項１０】
請求項１〜５のいずれかに記載の伸縮性たて編地が、編み立て方向に対し編始
め側で裁断され、かつ該裁断縁をへミングレスのままの縁として含み、形成され
ていることを特徴とする請求項１〜９のいずれかに記載の伸縮性衣類。
【請求項１１】
請求項１〜５のいずれかに記載の伸縮性たて編地が、編み方向に対し４５度を
超えない範囲で裁断され、かつ該裁断縁をへミングレスのままの縁として含み、
形成されていることを特徴とする請求項１〜１０のいずれかに記載の伸縮性衣類
。
【請求項１２】
請求項１〜１１のいずれかに記載の伸縮性衣類が、少なくとも下半身部を含ん
で着用される、ファンデーション衣類として形成されていることを特徴とする伸
縮性衣類。
【請求項１３】
ヒップに当接する裾部が大きなカーブのへミングレスに形成されていることを
特徴とする請求項１２に記載の伸縮性衣類。
【請求項１４】
前記のカーブ（ａ）の形状が、正面を前に左右両脇で折り畳んで平置きした状
態でヒップ布の裾部上端（ｂ）及び裾部下端（ｃ）を結んだ直線（ｄ）と、カー
ブしたヒップに当接する布の下辺の最も突出した点（ｅ）とを垂線（ｆ）で結ん
だとき、垂線（ｆ）の長さが少なくとも１５ｍｍであることを特徴とする請求項
１３に記載の伸縮性衣類。
【請求項１５】
伸縮性たて編地として、請求項１〜５のいずれかに記載の伸縮性たて編地を複
数枚重ねて貼り合わせた積層伸縮性たて編地を用い、前記積層伸縮性たて編地の
縁の一部又は全部が裁断された状態のままで、すなわちへミングレスのままで形
成されていることを特徴とする請求項１〜１４のいずれかに記載の伸縮性衣類。
【請求項１６】
請求項１５に記載の積層伸縮性たて編地が、前記積層伸縮性たて編地の縁の一
部又は全部が裁断された状態のままで、すなわちへミングレスのままで、ブラジ
ャー類又はブラジャー類に相当するスポーツ用衣類のバック布として用いられて
いることを特徴とする請求項１５に記載の伸縮性衣類。
【発明の詳細な説明】
【０００１】
【発明の属する技術分野】
本発明は、適度な伸縮性、優れたファッション性などを有し、とくに裁断した縁をそのままの状態で形成した新規な伸縮性衣類に関する。とくにファンデーション衣類として好適である。
【０００２】
【従来の技術】
婦人用衣類の多様化、ファッション化の傾向は、時代とともにますます進行し、なかでも、適度の伸縮性があって身体に気持ちよくフィットする、薄地で編目の美しい、かつ下着のヘムラインが外衣を通して外観に現れない、ファッショナブルなファンデーション衣類に対する要求が大きい。加えて、縁の始末（へミングのこと）をしないで切り放しのまま形成し、お洒落な着衣として楽しみたいという傾向がある。
【０００３】
【発明が解決しようとする課題】
従来の衣類では裁ち目が解れるのを防止するために何らかの始末をする必要があった。この始末のことを、始末をする、へミングなどと称し、その方法は部位や素材によって様々であって、たとえば、布端を折り返したり、別布や伸縮テープを付けて縫合したり、糸かがりを行っていた。この作業は衣類の縫製において可成りの負担であり、しかも、下着のヘムラインが凸条になって外衣に現れたり、着用感を損なうなどの問題になっている。
【０００４】
従来、衣類の縁を始末不要な状態にするには、パワーネット編地などを糸抜きしたり、レースの端部をカットして縁をほつれにくくした編地を衣類に縫製する方法があった。しかし、いずれの方法も提供できる衣類の縁は直線ラインまたは実質的に直線に近いラインであり、また上下に平行なラインでしか形成することができなかった。
【０００５】
直線や曲線、あるいはこれらを組み合わせた様々な形状、様々な角度の始末不要な端部を形成し、かつ全体に、張りやこし、緊締力がある編地を使って、始末不要な編地の縁を衣類の縁にすることができれば、縁の始末が不要であって、緊締力も有する衣類を形成することができる。幅が平行でないものでも上下方向に全く縫合箇所のない見頃から衣類を形成することができ、縫合箇所が少なく、段差の少ないフラットな衣類を楽しむことができる。本発明は前記の要求と縫製の合理化とを課題として研究し、完成したものである。
【０００６】
【課題を解決するための手段】
前記の課題を解決する本発明の手段について説明する。なお、説明に先立って本
願明細書において使用する主な用語の内容を説明する。「伸縮性たて編地」は、下
記の本発明伸縮性衣類に使用する、非弾性糸と弾性糸とを同行させた１×１編み組
織を基本とする伸縮性たて編地のいずれかを指す。「形成」には、ミシンなどによ
る縫合、接着剤や加熱を用いた接着接合などの接合全体を含み、編地などの布類か
ら衣類を作ることを意味する。「ヘミングレス」は、縁部を、別布を縫着したり、
折り返し、糸かがりなどによるほつれ防止のための縁部始末を行っていない編地や
衣類の縁を意味する。
【０００７】
さて、本発明は前記の課題を解決する手段として、編組織が非弾性糸と弾性糸と
を同行させた１×１編み組織であって、かつ各編針において非弾性糸と弾性糸のう
ちの少なくとも１方が閉じ目により編成された伸縮性たて編地を含み、さらに前記
伸縮性たて編地の縁の一部又は全部が裁断されて切りはなされた状態のままの、す
なわちへミングレスのままで形成されていることを特徴とする伸縮性衣類を提供す
る。
【０００８】
前記の伸縮性たて編地は、製造に際し、１８０℃を下らない温度においてプレセットまたは／およびヒートセットを施し、あるいは、１インチ当たり６５ウエールを超える密度に編成し、あるいは、非弾性糸のランナーを弾性糸のランナーよりも大きく、非弾性糸のランナーを８５〜１２０ｃｍ／ラック、弾性糸のランナーを７０〜１１０ｃｍ／ラックにして編成されていることが望ましい。これらの編地編成条件は単独でも、また組み合わせて実施してもそれぞれに編目の安定効果を奏する。
【０００９】
そして、本発明の伸縮性衣類には、目的により、部分的に他の部分よりも繊度の
大きな弾性糸を編糸に用い、または繊度が大きいか複数本の弾性糸を挿入した、締
付パワーの強化部分を含んで編成されている伸縮性たて編地を用いることができる
。前記した伸縮性たて編地は、いずれも縁の一部又は全部を裁断してへミングレス
のままで使用しても、ほつれを生じにくく、大いに有用である。
【００１０】
また、本発明は前記した伸縮性衣類であって、かつ、用いた伸縮性たて編地が、衣類の少なくとも上端および下端の縁を構成し、前記の縁がへミングレスのままに形成されていることを特徴とする伸縮性衣類、あるいは伸縮性たて編地を上端および下端の縁を構成する上下方向に継ぎ目のない同じ１枚の見頃として含み、形成されていることを特徴とする伸縮性衣類、および、上端および下端の縁を構成するラインが、相互に非平行であることを特徴とする伸縮性衣類を提供する。
【００１１】
そして、本発明の伸縮性衣類は、衣類の縁部となる箇所を伸縮性たて編地を編地の編み立て方向に対し編始め側となるように見頃を裁断し、その裁断縁をへミングレスのままの縁として衣類の縁部となるように形成することが望ましく、さらに好ましくは、伸縮性たて編地の編み方向に対し左右にそれぞれ４５度を超えない範囲で裁断した裁断縁を、へミングレスのままの縁として衣類の縁部として用いる。
【００１２】
また、前記した伸縮性たて編地は、ずれも複数枚重ねて貼り合わせた積層伸縮性
編地としても伸縮性衣類に有効に利用することができる。具体的には、ブラジャー
類又はブラジャー類に相当するスポーツ用衣類バック布として好ましく用いること
ができる。
【００１３】
【発明の実施の形態】
本発明について実施形態例をあげながら必要により図面を参照し具体的に説明する。まず、本発明に係る伸縮性衣類に使用する伸縮性たて編地を簡単に説明する。
【００１４】
本発明伸縮性衣類は、非弾性糸と弾性糸とを同行させた１×１編み組織であって、かつ各編針において非弾性糸と弾性糸のうちの少なくとも１方が閉じ目により編成された伸縮性たて編地を含んで形成する。編糸に非弾性糸と弾性糸とを用いて適度の伸縮性を付与している。１×１の編み組織は編目が揃って美しく薄いという特長があって糸脚が短い上、各編針において非弾性糸と弾性糸のうちの少なくとも１方を閉じ目により編成することにより、編目の安定、ほつれの防止をはかっている。また、本発明の伸縮性衣類には、伸縮性たて編地のほか、伸縮性の有無に関係なく、前記以外の編地、織地、不織布、皮革などを任意に選択し使用してもよい。
【００１５】
伸縮性たて編地の中でも、非弾性糸と弾性糸のいずれもが閉じ目により編成されている伸縮性たて編地（Ａ：図１に示す）、非弾性糸が閉じ目により、弾性糸が開き目により編成されている伸縮性たて編地（Ｂ：図２に示す）、および非弾性糸と弾性糸とがともに開き目と閉じ目とを交互に、ただし、同じ編針においては非弾性糸の開き目に対して弾性糸は閉じ目、同様に閉じ目に対しては開き目が組み合わされ編成されている伸縮性たて編地（Ｃ：図３に示す）が実用的で優れている。ＡおよびＢの編地はとくに外観に優れ、Ｃはループドロップしにくいという特長がある。
【００１６】
使用する非弾性糸としては、伸縮性衣類の種類により、ナイロンやポリエステルなどの合成繊維、レーヨンなどの半合成繊維、絹や綿などの天然繊維のいずれでも、またフィラメント糸、紡績糸のいずれも使用することができる。なかでも吸水性に富むナイロンはインナーウエア用編地として好ましく用いられる。弾性糸についてもとくに制限はないが、一般にポリウレタン弾性糸やその被覆弾性糸等を使用する。
【００１７】
また、伸縮性たて編地には、安定性、ほつれ防止効果などを得る目的でプレセット処理または／およびヒートセット処理の施されているものが、好適である。処理温度は、装置の形状、プレセット処理時間、ヒートセット処理時間、素材の種類、編地の厚さなどにもよるが、低くとも１８０℃を下らない温度、好ましくは１８５℃を下らない温度で、さらに確実に前記の効果を得るには１９０℃〜１９５℃の範囲で施されていると、編地の一部が軟化し軽く融着して編地の形態が安定し、ほつれにくくなる。処理時間は、たとえば６チャンバー構成の装置を用い、１５〜４０ｍ／分程度、好ましくは２４〜３６ｍ／分程度がよい。
【００１８】
また、一般的な編地では仕上巾を１６０ｃｍ前後にするが、伸縮性たて編地では可能な範囲で高密度に編成したものが、伸縮性衣類において編目の美しさを保持しつつ、その安定性を向上するために望ましい。使用する編糸の繊度等にもよるが、１インチ当たり６５ウエールを超える、好ましくは７０ウエール前後の密度に編地を編成し、編地のよこ伸びの割合を大きくするとよい。ただし、非弾性糸にセルロース糸や綿糸が編み込まれている場合はこの限りではない。
【００１９】
さらに、通常に較べて使用糸量を増やし、非弾性糸のランナーを弾性糸のランナーよりも大きくアンバランスな伸縮性たて編地を好ましく使用する。具体的には、通常８０ｃｍ／ラック以下の非弾性糸のランナーを８５〜１２０ｃｍ／ラック、好ましくは９５〜１１５ｃｍ／ラックとし、通常６０ｃｍ／ラック以下の弾性糸のランナーを７０〜１１０ｃｍ／ラック、好ましくは７５〜１０５ｃｍ／ラックにして編成する。
【００２０】
本発明伸縮性衣類においては、部分的に他の部分よりも繊度の大きな弾性糸を編糸に用い、あるいは繊度が大きいか複数本の弾性糸を挿入して、締付パワーを強化した部分が一体に編成された伸縮性たて編地を有効に利用することができる。部分的に締付パワーの強化部分を必要とする婦人用の下着やガードル類を形成する目的に有用であり、縫製コスト低減にも役立つ。また、弾性糸または非弾性糸を挿入し、所要の伸度や伸縮パワーを付与した伸縮性たて編地を編成し、あるいは編目の安定性を向上させて使用してもよい。
【００２１】
本発明伸縮性衣類では、さらに、使用した前記の伸縮性たて編地を縁の一部又は
全部が裁断されて切り離された状態、すなわち縁に始末を施さないでへミングレス
のまま用いて形成する。具体的に実施形態例をあげて説明する。これらのへミング
レスな縁を含む本発明伸縮性衣類は、前記伸縮性たて編地がもつ、とくに注目すべ
き切断縁においてほつれにくいという特長を利用したものであって、機能性、ファ
ッション性、あるいは経済性における大きな利点がある。
【００２２】
さて、本発明の伸縮性衣類にあってへミングレスとなる裾などの衣類の縁の形状には、極端に先の尖ったギザギザ縁などの極端な形状を除き特別の制限はなく、伸縮性たて編地のどこを裁断しても、ほつれが生じず、縁始末を行う必要がないことから湾曲したカーブラインや波形ラインなど好みに応じて自由に採用することができる。また、本発明伸縮性衣類では、衣類の上、下の両端部ともに伸縮性たて編地を使用してヘミングレスに、かつ上端および下端の縁を構成するラインを、相互に非平行に形成するなど、機能的、デザイン的に従来とは比較にならない広範囲の自由設計ができる。さらに、上端および下端の縁を構成する見頃を、縫い目のない同じ１枚の前記伸縮性たて編地を用いて形成し、よこ方向に走る縫い目をなくしてもよい。衣類の段差が少なくフラットなものになって着用感が向上する。
【００２３】
図４に本発明伸縮性衣類実施例のショーツを示した。このショーツでは、ヒップ部を左、右に分け、それぞれ上下方向に１枚の伸縮性たて編地をヒップ布１，２として用い、下端の裾部３とともに上端のウエスト部４をヘミングレスにしてよこ方向の縫合部を省いた。また、裾部の縁のライン３に、従来は実用的に１枚もので縁始末を行わないままでは、不可能であった斬新的な波形を採用してファッション性を付与した。この様にウエストから裾までをつながった１枚の布で形成していながら、ウエストライン、裾ラインともに縁始末を行わず、編地から裁断した見頃の縁部をそのままショーツのウエストライン、裾ラインとして使用している。このショーツは、ヒップに適度の締付力を付与して体形を整える効果があり、裾部に縁始末による違和感がなく、デザイン的にも好評で着用した外衣に下着のラインが表出することはなかった。そして、ショーツのウエストラインと裾ラインという上、下の両縁においても、任意の連続的にスムーズな曲線とすることができるようになった。
【００２４】
本発明伸縮性衣類において、端部の縁をヘミングレスに設計する際には、伸縮性たて編地を裁断するに当たってヘミングレスの裁断縁を、編地の編み立て方向に対し編始め側において裁断できるようにしておくことが好ましい。編終り側の裁断縁に対し編み始め側の裁断縁の方がほつれにくいからである。へミングレスのままの縁を、編地の編み方向（地の目方向）と平行に近い、つまり編み方向と角度をつけないように見頃を裁断するとほつれが生じにくい。つまり、編地の編始め側方向に対し左右にそれぞれ４５度を超えない範囲で裁断することができればほつれにくく好ましい。編終り側での裁断ラインが４５度に近づく程ほつれが目立ちやすくなるので、これにヘミングレスになる裁断ラインが重ならないように留意する必要がある。図５は、この裁断について理解を助けるため、ヘミングレスになる編地の縁と伸縮性たて編地の裁断方向との関係を示す参考図である。
【００２５】
前記の伸縮性たて編地は、その長所を生かして各種の衣類に利用することができるが、縁始末不要な任意の形状の裁断された見頃縁部を少なくとも下半身部を含んで着用されるガードルやショーツのウエスト部や裾部、ブラジャーのバック布の上下縁としてとして使用すると好適である。たとえば、ヒップ布の裾部が大きなカーブのへミングレスに形成されているショーツなどのパンティ類はシンプルなデザインで着用感に優れる。裾部縁の好ましいカーブａの形状について図６を参照して説明すると、正面を前に左右両脇で折り畳んで平置きした状態で、ヒップ布の裾部上端ｂと裾部下端ｃを結んだ直線ｄと、カーブしたヒップ布の下辺の最も突出した点ｅとを垂線ｆで結んだとき、垂線ｆの長さが１５ｍｍ以上になるような曲線に設計することができる。裾部の縁をへミングレスに、前記形状のカーブを描くショートのボトム衣類は、ヒップの立体形状にそい、かつ裾に段差を生じずにヒップへのフィット性を向上させる効果がある。
【００２６】
衣類によってはとくに強い伸縮パワーあるいは、張りを必要にする部位がある。そのような、より強い伸縮パワーあるいは、張りを求められる部位においては、同じ伸縮性たて編地を複数枚重ねて貼り合わせ、あるいは縫い合わせ積層して用いることができる。通常、同じ編地をヘミングレスで２枚、接着剤を用いてドット状に貼り合わせる。そしてたとえば、図７に示すブラジャーや水着のバック布１１などに用いるとよい。１枚では強度が十分でないため、着常時に上下幅が保たれず、バック布がくしゃくしになる恐れがあるが、前記の積層伸縮性たて編地を用いて強度と張りとをもたせ問題を解決することができる。編地を地の目方向を同方向に重ねることにより、伸びをもたせたまま強度と張りとを増強することができる。
【００２７】
このほか、本発明伸縮性衣類には、必要により各種の後加工を施して付加価値を高めた伸縮性たて編地を用いることができる。たとえば、伸縮性たて編地に加熱エンボス加工やパンチング加工を行って所要の模様を施す。また、ブラジャーカップなどに使用するためにモールド加工により所要の型付けを行うことができる。さらに混紡、交編などの手段で第３の繊維を混用し、編成後に第３の繊維を薬品の捺染等によって部分的に除去し模様を出す、いわゆるオパール加工を施した美しい伸縮性たて編地を用いて伸縮性衣類を形成できる。
【００２８】
【発明の効果】
本発明伸縮性衣類は、着用者にに適度の締付力を付与して体形を整える効果があり、従来の縁部始末による違和感がなく、デザイン的にも魅力的であり、縁部始末を行わずとも、ほつれが生じないため縫製が合理化されて経済的でもある。また、下着に用いた場合、そのラインが外衣に及ぶことはない。かつ、裾などの衣類縁部のラインを連続的にスムーズな任意の曲線とすることができる。本発明伸縮性衣類は、たとえば、ガードル、ショーツ、ボディスーツ、ブラジャー、シャツなどの肌着類、ランジェリー類、レオタード、スパッツ、水着などのスポーツ衣類として有用である。勿論のこと男性用伸縮性衣類としても有用である。
【図面の簡単な説明】
【図１】  非弾性糸、弾性糸共に閉じ目で編成された伸縮性たて編地の組織
【図２】  非弾性糸が閉じ目、弾性糸が開き目により編成された伸縮性たて編地の組織
【図３】  非弾性糸、弾性糸が共に開き目と閉じ目を交互に、かつ同じ編針ではいずれかが閉じ目に編成された伸縮性たて編地の組織
【図４】  本発明伸縮性衣類の一例
【図５】  ヘミングレスになる編地の縁と伸縮性たて編地の裁断方向との関係を示す参考図
【図６】  裾部縁の好ましいカーブ形状を示す説明図
【図７】  本発明伸縮性衣類の一例
【符号の説明】
１：ヒップ布（伸縮性たて編地）      ２：ヒップ布（伸縮性たて編地）
３：下端裾部縁（へミングレス）
４：上端ウエスト部縁（へミングレス）    ５：縫合線
１１：ヒップ布（伸縮性たて編地）
２１：バック布（積層伸縮性たて編地）
【図１】
0004261791.tif 000002
【図２】
0004261791.tif 000003
【図３】
0004261791.tif 000004
【図４】
0004261791.tif 000005
【図５】
0004261791.tif 000006
【図６】
0004261791.tif 000007
【図７】
0004261791.tif 000008